(57)【要約】  歯科用補綴物の色彩として元の歯の色彩を再現可能とする。  治療前に撮影して得られた歯の色彩データを、情報処理装置に保存しておき、歯の治療に際して作製された歯科用補綴物に色彩を施すにあたり、保存された治療前の歯の色彩データを情報処理装置から印刷機に送信し、印刷機により色彩データに対応する色彩を直接又は間接的に歯科用補綴物に印刷する。また、印刷機による間接的な印刷として、色彩データに対応する色彩を、所定の転写紙に印刷し、印刷された転写紙を歯科用補綴物に貼付する。
2008142781.tif 000002
【特許請求の範囲】
【請求項１】
歯科用補綴物の色彩として元の歯の色彩を再現する歯科用補綴物の製作方法であって、
治療前に撮影して得られた歯の色彩データを、情報処理装置に保存しておき、
前記歯の治療に際して製作された歯科用補綴物に色彩を施すにあたり、前記保存された治療前の歯の色彩データを前記情報処理装置から印刷機に送信し、
前記印刷機により前記色彩データに対応する色彩を直接又は間接的に前記歯科用補綴物に印刷する
ことを特徴とする歯科用補綴物の製作方法。
【請求項２】
前記印刷機による前記間接的な印刷として、
前記色彩データに対応する色彩を、所定の転写紙に印刷し、
印刷された前記転写紙を前記歯科用補綴物に貼付する
ことを特徴とする請求項１記載の歯科用補綴物の製作方法。
【請求項３】
前記保存された治療前の歯の色彩データが、歯が健康であるときの色彩データ、及び歯の治療直前の色彩データを備え、
前記情報処理装置から前記印刷機に、前記歯が健康であるときの色彩データ又は前記歯の治療直前の色彩データのいずれかを送信する
ことを特徴とする請求項１又は２記載の歯科用補綴物の製作方法。
【請求項４】
前記情報処理装置が、前記歯が健康であるときの色彩データ及び前記歯の治療直前の色彩データにもとづいて、これらの中間の色彩を示す一又は二以上の色彩データを生成し、これらのいずれかを、前記印刷機に送信する
ことを特徴とする請求項３記載の歯科用補綴物の製作方法。
【請求項５】
前記情報処理装置が、前記色彩データを表示手段に出力して、この表示手段に前記色彩データを選択可能に表示させ、選択された色彩データを、前記印刷機に送信する
ことを特徴とする請求項３又は４記載の歯科用補綴物の製作方法。
【請求項６】
歯科用補綴物の色彩として元の歯の色彩を再現する歯科用補綴物の製作システムであって、
治療前に撮影して得られた歯の色彩データを入力して記憶手段に記憶させ、前記歯の治療に際して製作された歯科用補綴物に色彩を施すにあたり、所定の入力情報にもとづき前記記憶手段に記憶された治療前の歯の色彩データを印刷機に送信する情報処理装置と、
前記情報処理装置から受信した前記色彩データに対応する色彩を直接又は間接的に前記歯科用補綴物に印刷する印刷機と、を備えた
ことを特徴とする歯科用補綴物の製作システム。
【請求項７】
前記印刷機による前記間接的な印刷として、
前記色彩データに対応する色彩を、所定の転写紙に印刷し、
印刷された前記転写紙を前記歯科用補綴物に貼付する
ことを特徴とする請求項６記載の歯科用補綴物の製作システム。
【請求項８】
請求項６又は７記載の歯科用補綴物の製作システムが、
前記色彩データに対応する色彩を直接又は間接的に印刷された歯科用補綴物を焼成する炉を備えたことを特徴とする歯科用補綴物の製作システム。
【請求項９】
前記記憶手段に記憶された治療前の歯の色彩データが、歯が健康であるときの色彩データ、及び歯の治療直前の色彩データを備え、
前記情報処理装置が、前記歯が健康であるときの色彩データ又は前記歯の治療直前の色彩データのいずれかを前記印刷機に送信する
ことを特徴とする請求項６〜８のいずれかに記載の歯科用補綴物の製作システム。
【請求項１０】
前記情報処理装置が、前記歯が健康であるときの色彩データ及び前記歯の治療直前の色彩データにもとづいて、これらの中間の色彩を示す一又は二以上の色彩データを生成し、これらのいずれかを、前記印刷機に送信する
ことを特徴とする請求項９記載の歯科用補綴物の製作システム。
【請求項１１】
前記情報処理装置が、前記色彩データを表示手段に出力して、この表示手段に前記色彩データを選択可能に表示させ、選択された色彩データを、前記印刷機に送信する
ことを特徴とする請求項９又は１０記載の歯科用補綴物の製作システム。
【発明の詳細な説明】
【技術分野】
【０００１】
本発明は、歯の治療に用いる歯科用補綴物の製作に関し、特に歯科用補綴物の色彩として元の歯の色彩を再現可能とすることで、患者に対して自分の歯がよみがえる喜びを与えることのできる歯科用補綴物の製作方法、及び歯科用補綴物の製作システムに関する。
【背景技術】
【０００２】
従来、歯の治療において、歯科用補綴物としてオールセラミックスクラウンを製作する場合は、一般に次のような手順で行われていた。
（１）患者の歯の治療にあたり、支台歯を形成する。
（２）患者の歯型の印象を採取し、その印象に石膏材を流して、石膏模型を製作する。
（３）歯牙が分割できる石膏作業模型を製作する。
（４）上下の模型を合わせて噛み合わせを確認する。【０００３】
（５）交哈器に固定した状態で、石膏作業模型上の支台歯と対合歯との空間に、形成前の歯の形状に戻るように、ワックス材やセラミックス材を支台歯の上に盛り上げて、歯モデルを形成する。
（６）セラミックス材を用いて形成した歯モデルは、炉で焼成して焼き固めることで、オールセラミックスクラウンとして製作される。また、ワックス材を用いて製作した歯モデルは、鋳型材に埋没した後、熱を加えてワックス原型を溶かし出し、ワックスが流れ出た後にできた原型の形をした空洞に、溶解したセラミックスを流し込んで固めることで、オールセラミックスクラウンとして製作される。【０００４】
（７）製作されたオールセラミックスクラウンに、個々の患者の歯に合わせて、手作業によりステイン（色付け）を行い、再び炉に入れて焼成、焼き付けを行う。
（８）色付け作業終了後、表面につや出しコーティングを行い、再び炉に入れて焼成し、オールセラミックスクラウンを歯科用補綴物として完成させる。【０００５】
この従来の歯科用補綴物の製作方法では、歯モデルの形成にあたって、形成前の歯の形状に戻るように、ワックス材等が支台歯の上に盛り上げ形成されている。
しかし、このような方法によれば、得られる歯モデルとして、治療前の歯を正確に再現することは極めて困難であり、その形状はある程度推測によらなければならないという問題があった。また、歯科技工士の力量によって、完成する歯科用補綴物の品質に差が生じ、適切な歯科用補綴物が得られない場合があるという問題もあった。【０００６】
一方、患者の多くは、自分の歯が元の状態によみがえることを希望しているため、できるだけ元の歯の形態に近い歯科用補綴物を、オールセラミックスクラウンなどで再製することができれば大変好ましい。
このような問題の解決に関連する技術としては、例えば特許文献１に記載の歯科用補綴物の作製方法がある。
この歯科用補綴物の作製方法では、歯科用補綴物を設計するにあたり、治療に際して計測された歯の形状情報と、予め保存しておいた患者の健康時の歯の形状情報を三次元グラフィック表示することで、歯科用補綴物を健康時の形状と同一に設計し、これにもとづいて歯科用補綴物を自動的に作製することにより、患者の元の歯を再製可能としている。【０００７】
しかしながら、この歯科用補綴物の作製方法によれば、患者の元の歯の形状を再現することはできるが、元の歯の色彩をよみがえらせることはできなかった。
ここで、歯の色彩の再現に関する先行技術文献に記載の発明としては、例えば特許文献２の人工歯製造システムや、特許文献３の歯科用観察装置の色調補正機構などが存在している。【０００８】
【特許文献１】特開２００２−２２４１４３号公報
【特許文献２】特開平１１−１２８２４８号公報
【特許文献３】特開平８−２２９０５７号公報
【発明の開示】
【発明が解決しようとする課題】
【０００９】
特許文献２の人工歯製造システムは、患者の歯の色のデータを取得する歯色データ取得手段と、取得された歯の色のデータを遠隔地に送信する歯色データ送信手段と、送信された歯の色のデータに基づいて、人工歯の表面の色を調整するための人工歯色調整手段とを備えた構成としてある。そして、患者の歯の色データ等を、歯科技工所側に送信することで、歯科技工所において、そのデータに基づいて、人工歯の色合い等を調整可能としている。【００１０】
この人工歯製造システムによれば、歯科技工士は、患者の歯の色データを参照しつつ、歯科用補綴物の色付けを行うことができるため、歯科用補綴物の色彩を元の歯の色により近づけることが可能となる。
しかしながら、このシステムによれば、色付けは手作業で行われることから、製作される歯科用補綴物の色彩は、歯科技工士ごとに微妙に異なることとなり、必ずしも元の歯の色が適切に再現されるとは限らないという問題があった。【００１１】
また、特許文献３の歯科用観察装置の色調補正機構は、歯牙、歯茎、歯牙修復物等の被写体の正確な色調を表示装置に再現する手段として、被写体と表示装置に表示された映像の両方の色情報を測定できる色調測定手段と、その色情報が一致するように表示内容の色調を補正制御する色調補正制御手段からなる構成としてある。【００１２】
これによって、従来は歯科観察装置等で撮影される歯牙、歯茎、歯牙修復物等の画像は、撮影カメラ、信号処理装置、表示装置等のハ−ドの違いによって、それぞれ色調が異なるため、正確な色調を表示することができず、結局再現される画像の色調は目安にすぎないという問題があったが、この歯科用観察装置の色調補正機構によれば、撮影される歯牙等の色調と表示されるその色調を一致させることができるため、歯科技工士は、より正確に元の歯の色を再現することが可能となる。
しかしながら、この機構でも、色付けは手作業で行われ、必ずしも元の歯の色が適切に再現されるとは限らなかった。【００１３】
本発明は、上記の事情にかんがみなされたものであり、治療前の歯の色彩データを情報処理装置に保存しておき、歯の治療に際して歯科用補綴物に色彩を施すにあたり、保存された治療前の歯の色彩データに対応する色彩を直接又は間接的に歯科用補綴物に印刷することで、歯科用補綴物の色彩として元の歯の色彩を再現可能とし、患者に対して自分の歯がよみがえる喜びを与えることのできる歯科用補綴物の製作方法、及び歯科用補綴物の製作システムの提供を目的とする。
【課題を解決するための手段】
【００１４】
上記目的を達成するため、本発明の歯科用補綴物の製作方法は、歯科用補綴物の色彩として元の歯の色彩を再現する歯科用補綴物の製作方法であって、治療前に撮影して得られた歯の色彩データを、情報処理装置に保存しておき、歯の治療に際して製作された歯科用補綴物に色彩を施すにあたり、保存された治療前の歯の色彩データを情報処理装置から印刷機に送信し、印刷機により色彩データに対応する色彩を直接又は間接的に歯科用補綴物に印刷する方法としてある。【００１５】
歯科用補綴物の製作方法をこのような方法にすれば、治療前に撮影して情報処理装置に予め記憶された歯の色彩データを用いて、印刷機により歯科用補綴物に直接又は間接的に色彩を印刷することができる。
このように、本発明によれば、歯科技工士による手作業ではなく、印刷機を用いて、また、予め記憶された歯の色彩データを用いて、歯科用補綴物に元の歯の色を極めて正確に再現することができるため、患者の歯を適切に再製することが可能となる。【００１６】
また、本発明の歯科用補綴物の製作方法は、印刷機による間接的な印刷として、色彩データに対応する色彩を、所定の転写紙に印刷し、印刷された転写紙を歯科用補綴物に貼付する方法としてある。【００１７】
歯科用補綴物の製作方法をこのような方法にすれば、治療前の歯の色彩データを用いて、印刷機により水張り転写紙などに色彩を印刷し、これを歯科用補綴物に貼付して焼成することで、歯科用補綴物への色付けを行うことができる。
このため、歯科用補綴物の色づけを正確かつ容易に行うことが可能となる。
なお、予め種々の色彩を水張り転写紙にプリントしておき、この水張り転写紙を必要に応じて歯科用補綴物に貼付するようにすれば、誰もが安定した色づけを行うことが可能となる。【００１８】
また、本発明の歯科用補綴物の製作方法は、保存された治療前の歯の色彩データが、歯が健康であるときの色彩データ、及び歯の治療直前の色彩データを備え、情報処理装置から印刷機に、歯が健康であるときの色彩データ又は歯の治療直前の色彩データのいずれかを送信する方法としてある。【００１９】
歯科用補綴物の製作方法をこのような方法にすれば、歯科用補綴物に色彩を印刷するにあたり、患者の好みに応じて、歯が健康であるとき、又は歯の治療直前の色彩データのいずれでも用いることができる。
このため、患者が治療対象でない他の歯の色彩とのバランスの良い色彩を求める場合には治療直前の色彩データを用い、他の歯の色彩とのバランスを優先するよりも、きれいな色彩を求める場合には歯が健康であるときの色彩データを用いることなどが可能となる。【００２０】
また、本発明の歯科用補綴物の製作方法は、情報処理装置が、歯が健康であるときの色彩データ及び歯の治療直前の色彩データにもとづいて、これらの中間の色彩を示す一又は二以上の色彩データを生成し、これらのいずれかを、印刷機に送信する方法としてある。【００２１】
歯科用補綴物の製作方法をこのような方法にすれば、健康であるときから歯の治療直前までの種々の中間の色彩を歯科用補綴物に印刷することができる。
このため、患者は、歯科用補綴物に印刷する色彩として、より広範囲な色彩から求める色彩を選択することが可能となる。【００２２】
また、本発明の歯科用補綴物の製作方法は、情報処理装置が、色彩データを表示手段に出力して、この表示手段に色彩データを選択可能に表示させ、選択された色彩データを、印刷機に送信する方法としてある。【００２３】
歯科用補綴物の製作方法をこのような方法にすれば、医師や患者等は、表示手段に表示された色彩を見ながら、容易に歯科用補綴物に印刷する色彩を選択することが可能となる。【００２４】
また、本発明の歯科用補綴物の製作システムは、歯科用補綴物の色彩として元の歯の色彩を再現する歯科用補綴物の製作システムであって、治療前に撮影して得られた歯の色彩データを入力して記憶手段に記憶させ、歯の治療に際して製作された歯科用補綴物に色彩を施すにあたり、所定の入力情報にもとづき記憶手段に記憶された治療前の歯の色彩データを印刷機に送信する情報処理装置と、情報処理装置から受信した色彩データに対応する色彩を直接又は間接的に歯科用補綴物に印刷する印刷機とを備えた構成としてある。【００２５】
また、本発明の歯科用補綴物の製作システムは、印刷機による間接的な印刷として、色彩データに対応する色彩を、所定の転写紙に印刷し、印刷された転写紙を歯科用補綴物に貼付する構成としてある。
また、本発明の歯科用補綴物の製作システムは、色彩データに対応する色彩を直接又は間接的に印刷された歯科用補綴物を焼成する炉を備えた構成としてある。【００２６】
また、本発明の歯科用補綴物の製作システムは、記憶手段に記憶された治療前の歯の色彩データが、歯が健康であるときの色彩データ、及び歯の治療直前の色彩データを備え、情報処理装置が、歯が健康であるときの色彩データ又は歯の治療直前の色彩データのいずれかを印刷機に送信する構成としてある。【００２７】
また、本発明の歯科用補綴物の製作システムは、情報処理装置が、歯が健康であるときの色彩データ及び歯の治療直前の色彩データにもとづいて、これらの中間の色彩を示す一又は二以上の色彩データを生成し、これらのいずれかを、印刷機に送信する構成としてある。【００２８】
また、本発明の歯科用補綴物の製作システムは、情報処理装置が、色彩データを表示手段に出力して、この表示手段に色彩データを選択可能に表示させ、選択された色彩データを、印刷機に送信する構成としてある。【００２９】
歯科用補綴物の製作システムをこれらのような構成にすれば、印刷機を用いて、予め記憶された歯の色彩データにもとづき歯科用補綴物に元の歯の色を極めて正確に再現することができる。
このため、患者の歯を適切に再製することが可能となる。
【発明の効果】
【００３０】
本発明によれば、治療前の歯の色彩データを用いて、これに対応する色彩を所定の転写紙に印刷し、歯科用補綴物にこの転写紙を貼付することができる。また、治療前の歯の色彩データに対応する色彩を直接歯科用補綴物に印刷することもできる。
これによって、歯科用補綴物の色彩として元の歯の色彩を再現することができる。
このため、患者に対して、自分の歯が元のようによみがえる喜びを与えることが可能となる。
【図面の簡単な説明】
【００３１】
【図１】本発明の実施形態の歯科用補綴物の製作システムの構成を示すブロック図である。
【図２】本発明の第一実施形態の歯科用補綴物の製作システムによる製作方法を示す図である。
【図３】本発明の第一実施形態の歯科用補綴物の製作システムにおける色彩選択画面を示すである。
【図４】本発明の第二実施形態の歯科用補綴物の製作方法を示す図である。
【発明を実施するための最良の形態】
【００３２】
［第一実施形態］
まず、本発明の第一実施形態の構成について、図１を参照して説明する。同図は、本実施形態の歯科用補綴物の製作システムの構成を示すブロック図である。
図１に示すように、本実施形態の歯科用補綴物の製作システムは、情報処理装置１０、加工機２０、印刷機３０、及び炉４０を有している。【００３３】
［情報処理装置１０］
本実施形態の歯科用補綴物の製作システムにおける情報処理装置１０は、加工機２０に歯科用補綴物の設計データを送信するとともに、印刷機３０に色彩データを送信する。
この情報処理装置１０としては、例えばパーソナルコンピュータなどの情報処理装置を用いることができる。
この情報処理装置１０は、図１に示すように、データ入力手段１１、記憶手段１２、設計手段１３、表示手段１４、色彩データ選択手段１５、及び色彩データ送信手段１６を備えている。【００３４】
データ入力手段１１は、歯の形態データを情報処理装置１０に入力して、記憶手段１２に記憶させる。
この歯の形態データとしては、全顎形状データ、歯牙形状データ、全顎色彩データ、及び歯牙色彩データを挙げることができる。【００３５】
全顎形状データは、例えば、上下顎から印象材により全顎印象を採取し、この印象に石膏材を流して石膏模型を製作し、この石膏模型を所定の全顎模型計測システムにより計測することで、得ることができる。また、この全顎模型計測システムにより、得られた全顎形状データから１本ずつの歯牙形状データを作成することもできる。
この全顎模型計測システムとしては、メディア株式会社のＤＥＣＳＹ（Ｒ）におけるシステムなどを好適に用いることができる。【００３６】
データ入力手段１１は、この全顎模型計測システムから歯の形態データを受け取って、これを情報処理装置１０に入力する。
なお、模型を製作せずに、直接患者口腔内をカメラで撮影して、全顎形状データなどの三次元データを情報処理装置１０に入力する方法とすることも可能である。【００３７】
全顎色彩データは、所定の歯牙色彩認識システムによって、歯牙を直接撮影することで、得ることができる。
また、この歯牙色彩認識システムにより、得られた全顎色彩データから１本ずつの歯牙色彩データを作成することもできる。
この歯牙色彩認識システムとしては、特に限定されるものではなく、従来公知の一般的な色彩認識システムを用いることが可能である。【００３８】
これらの全顎形状データ、歯牙形状データ、全顎色彩データ、歯牙色彩データの入力タイミングとしては、歯が健康であるとき、及び歯の治療直前の両方とすることが好ましい。
治療直前の歯の形態データを入力して保存しておくことで、歯科用補綴物として、治療直前の状態のものを製作することが可能となる。
また、歯が健康であるときの歯の形態データを入力して保存しておくことで、歯科用補綴物として、健康時の歯を再製することが可能となる。
なお、歯が健康であるときとしては、例えば永久歯が生えそろい、顎の成長が止まったときなどとすることが好ましい。【００３９】
記憶手段１２は、データ入力手段１１により情報処理装置１０に入力された健康時及び治療直前の全顎形状データ、歯牙形状データ、全顎色彩データ、及び歯牙色彩データ等の歯の形態データを、患者の識別情報ごとに記憶する。【００４０】
設計手段１３は、記憶手段１２に記憶された全顎形状データ及び歯牙形状データを用いて、歯科用補綴物を設計する。この設計方法としては、従来公知の方法を用いることができ、本願発明の特徴部分ではないため、詳細については省略するが、以下のような手順で行うことができる。【００４１】
まず、設計手段１３は、記憶手段１２に記憶された治療直前の全顎形状データ及び歯牙形状データを用いて、表示手段１４に上下顎模型を表示する。
そして、図示しない顎運動計測システムと連携し、最新の噛み合わせ位置や顎運動データを算出する。
また、設計手段１３は、表示手段１４に表示した模型支台歯に、記憶手段１２に記憶された健康時の全顎形状データ、歯牙形状データを重ね合わせる。【００４２】
このとき、一般に健康時の歯牙形状データ等と治療直前の歯牙形状データ等とは、噛み合わせによる摩耗や歯の移動によって、一部位置や形状が変化しているが、顎運動計測システムにより算出された最新の噛み合わせ位置や顎運動データを用いて、上記歯牙形状データ等の重ね合わせ位置を調整することにより、一番患者に適した歯牙形状のクラウンを設計することが可能となっている。【００４３】
設計手段１３は、クラウンの設計データを作成すると、この設計データを加工機２０に送信する。
加工機２０に適切なセラミックスブロックを取り付け、この加工機２０により上記設計データにもとづいて、歯科用補綴物としてオールセラミックスクラウンを研削加工する。
これによって、人の技術に左右されない安定したオールセラミックスクラウンを加工することが可能となっている。【００４４】
表示手段１４は、情報処理装置１０におけるディスプレイやモニタなどの表示装置であり、設計手段１３や色彩データ選択手段１５から入力した各種データを画面上に出力して表示する。【００４５】
色彩データ選択手段１５は、記憶手段１２に記憶されている健康時及び治療直前の全顎色彩データ、歯牙色彩データを用いて、歯科用補綴物に色づけする色彩を選択可能に表示手段１４に表示させる。【００４６】
このとき、治療対象の歯牙についての健康時及び治療直前の色彩データのみならず、これらの色彩の中間色の色彩データを表示可能とすることも好ましい。
なお、健康時及び治療直前の色彩データにもとづいて、その中間色の色彩データを作成する方法については、従来公知の一般的な中間色の作成方法を用いることができる。【００４７】
色彩データ選択手段１５は、選択された色彩データを色彩データ送信手段１６に出力する。
このとき、選択する色彩としては、患者の口腔内に取り付ける歯科用補綴物に最適な理想の色彩を選択することが好ましい。
色彩データ送信手段１６は、入力した色彩データを印刷機３０に送信する。【００４８】
［加工機２０］
加工機２０は、情報処理装置１０から受信した歯科用補綴物の設計データにもとづいて、セラミックスブロックなどの素材を自動的に研削加工し、歯科用補綴物を製作する。
この加工機２０としては、メディア株式会社のＤＥＣＳＹ（Ｒ）などを好適に用いることができる。【００４９】
［印刷機３０］
印刷機３０は、情報処理装置１０から受信した色彩データにもとづいて、これに対応する色彩を転写紙に印刷する。
この印刷機３０としては、セラミックス用のステイン材をインクとして使用することができるものであれば、特に限定されるものではなく、紙を印刷することが可能な一般的なプリンター等を用いることが可能である。【００５０】
また、このとき用いるステイン材としては、素材とするセラミックスと同程度の熱膨張係数を備えたものが好ましい。これらの熱膨張係数が大きく異なる場合には、色付け後焼成して、その温度を室温にまで下げる際に、歯科用補綴物が破折する場合があるためである。
また、ステイン材としては、セラミックスクラウン表面のみならず、その少し内側にまで浸透して固定するものが好ましく、その種類は用いるセラミックスの種類に合わせた専用のものとすることが好ましい。【００５１】
本発明で使用するセラミックスブロックとしては、特に制限されないが、例えばイボクラール  ビバデント社（Ivoclar Vivadent社）の「プロキャド（ProCAD）セラミックスブロック」を用いることができる。
また、本発明で使用するステイン材としては、特に制限されないが、例えば同社の「プロキャドステインキット」を用いることができる。【００５２】
本発明で使用する転写紙は、特に限定されるものではないが、セラミックスクラウンに着色を行うために適切なものとすることが好ましい。
すなわち、凹凸のある様々な形状のクラウンの表面上に、隙間無く着色することができるものであることが好ましい。【００５３】
このような観点から、水張り転写紙（水転写紙）を使用することが好ましい。水張り転写紙は、紙やセロファンなどのフィルムに水溶性のバインダーをコートしたものである。この水溶性のバインダー上にセラミックスクラウンに着ける色とカバーコートを印刷して水に浸すと、紙やフィルム側から水が染み込んでバインダーが溶け、色をセラミックスクラウンに転写することができる。もちろん、予め様々な色を印刷しておいた水張り転写紙を用いることも可能である。【００５４】
そして、色を転写したセラミックスクラウンを、例えば８００〜１２００℃で焼成し、色をセラミックスクラウンに固定する。
水張り転写紙を用いる場合、その転写紙の厚さは特に限定されるものではないが、例えば０．２ｍｍ程度のものを用いることができる。【００５５】
また、転写紙として、熱転写紙を用いることも可能である。この場合、転写紙は、凹凸のあるセラミックスクラウンに隙間無く貼り付けることができるように、薄いものであることが望ましい。具体的には、０．５ｍｍ以下のものを用いることが好ましく、０．０１〜０．２ｍｍ以下のものを用いることがより好ましい。【００５６】
［炉４０］
炉４０は、セラミックスクラウンなどの歯科用補綴物を焼成する装置である。本実施形態では、印刷を行った転写紙を歯科用補綴物に貼付した後、炉４０を用いて焼成を行う。
これによって、歯科用補綴物にステイン材を固定し、色付けを行っている。
この炉４０としては、イボクラール  ビバデント社のプログラマットＰ２００などを好適に用いることが可能である。【００５７】
［歯科用補綴物の製作方法］
次に、本実施形態の歯科用補綴物の製作方法について、図２を参照して説明する。同図は、本実施形態の歯科用補綴物の製作システムによる歯科用補綴物の製作方法を示す図である。【００５８】
まず、予め患者の歯が健康な状態であるときに、この健康な歯の形態データを情報処理装置１０に入力して、記憶手段１２に記憶させておく（ステップ１０）。
歯の形態データとしては、上述したように、全顎形状データ、歯牙形状データ、全顎色彩データ、歯牙色彩データ等とすることができる。【００５９】
次に、患者が歯の治療に訪れた際等に、その患者の治療直前の歯の形態データを情報処理装置１０に入力して、記憶手段１２に記憶させる（ステップ１１）。
そして、設計手段１３により、記憶手段１２に記憶された健康時及び治療直前の歯の形状データにもとづいて、セラミックスクラウンの設計処理が行われ、設計データが生成される（ステップ１２）。
次に、この設計データが加工機２０に送信され、加工機２０によりセラミックスブロックが研削され、セラミックスクラウンが製作される（ステップ１３）。【００６０】
また、セラミックスクラウンへの色付けを行うため、セラミックスクラウンに着色する色彩の選択を行う。
このとき、色彩データ選択手段１５は、記憶手段１２に記憶されている健康時及び治療直前の全顎色彩データ、歯牙色彩データを用いて、治療対象である歯についての健康時又は治療直前の色彩のいずれかを選択することができる画面を表示手段１４に表示させる（ステップ１４）。【００６１】
さらに、色彩データ選択手段１５は、健康時及び治療直前の全顎色彩データ、歯牙色彩データを用いて、治療対象である歯の色彩データの候補として、健康時から治療直前まで中間色を示す色彩データを生成し、これらの色彩を健康時又は治療直前の色彩とともに画面上に表示して、そのいずれかを選択可能にすることもできる。【００６２】
図３は、このようにして表示手段１４により表示された色彩選択画面の例を示すものである。
同図において、ある色彩が選択され、これに対応するチェックボックスにチェックの入力が行われて、ＯＫボタンが押下されると、この選択された色彩データが、色彩データ選択手段１５から色彩データ送信手段１６に出力され、色彩データ送信手段１６により印刷機３０に送信される（ステップ１５）。【００６３】
なお、色彩選択画面の表示にあたり、健康時、治療直前の歯の色彩データとして、全顎色彩データ、歯牙色彩データにおけるどの歯牙の色彩データを用いるか等の詳細な事項については、適宜設計することができるが、例えば、健康時の歯の色彩データとしては、治療対象である歯牙の色彩データを用い、治療直前の歯の色彩データとしては、治療対象である歯牙の両隣（隣の歯がない場合や用いるのに不適切な歯である場合は、さらに隣のもの等）の色彩データの中間色を用いることなどが可能である。【００６４】
印刷機３０は、受信した色彩データに対応する色彩のステイン材を用いて、転写紙に印刷を行う（ステップ１６）。
なお、事前に決められた色彩を転写紙にプリントしておき、必要なときにこのプリントした転写紙をステッカーのように用いて歯科用補綴物に貼付するようにすれば、誰もが安定した色づけを行うことが可能となる。【００６５】
そして、この転写紙をセラミックスクラウンに貼付して（ステップ１７）、この転写紙を貼付したセラミックスクラウンを炉４０により焼成する（ステップ１８）。
これによって、本発明に係るオールセラミックスクラウンなどの歯科用補綴物を製作することができる。【００６６】
以上説明したように、本実施形態の歯科用補綴物の製作システムによれば、予め保存された治療前の歯の色彩データに対応する色彩を転写紙に印刷し、この転写紙を歯科用補綴物に貼付して焼成することで、歯科用補綴物の色彩として元の歯の色彩を再現することができる。
このため、患者に自分の歯がよみがえる喜びを与えることが可能となる。【００６７】
［第二実施形態］
次に、本発明の第二実施形態について、図４を参照して説明する。同図は、本実施形態の歯科用補綴物の製作システムによる歯科用補綴物の製作方法を示す図である。
本実施形態は、選択された色彩を転写紙に印刷してこれを歯科用補綴物に貼付するのではなく、選択された色彩を歯科用補綴物に直接印刷する点で第一実施形態と異なる。その他の点については、第一実施形態と同様であり、本実施形態のブロック図も図１と同様のものとすることができる。【００６８】
ただし、本実施形態における印刷機３０は、紙を印刷することが可能な一般的なプリンターではなく、歯科用補綴物に直接ステイン材を噴射して印刷を行うものである。
この印刷機３０としては、上述した種類のステイン材をクラウンに直接印刷することができるものであれば、特に限定されない。【００６９】
まず、健康な歯の形態データを保存する工程から色彩データを選択する工程までは（ステップ３０〜ステップ３５）、第一実施形態における工程（ステップ１０〜ステップ１５）と同様である。
次に、印刷機３０は、情報処理装置１０から受信した色彩データにもとづいて、セラミックスクラウンに色彩を直接印刷する（ステップ３６）。
そして、色彩を印刷したセラミックスクラウンを焼成し、色づけしたオールセラミックスクラウンを完成させる（ステップ３７）。【００７０】
以上説明したように、本実施形態の歯科用補綴物の製作システムによれば、転写紙を用いて、セラミックスクラウンに色彩を間接的に印刷するのではなく、セラミックスクラウンに色彩を直接印刷することができる。
このため、より簡便にセラミックスクラウンへの色付けを行うことが可能となる。【００７１】
本発明は、以上の実施形態に限定されるものではなく、本発明の範囲内において、種々の変更実施が可能であることは言うまでもない。
例えば、セラミックスクラウンに色彩のみならず、模様などを印刷する場合などにも適用することが可能である。
また、歯科用補綴物の材料として、例えばレジンやプラスチックなどを用いることも可能である。
さらに、歯科用補綴物に色彩を印刷した後に、焼成することなく、例えば光を照射することで、色彩を歯科用補綴物に固定するなど適宜変更することが可能である。
【産業上の利用可能性】
【００７２】
本発明は、歯の治療にあたり、歯科用補綴物の色彩として元の歯の色彩をより正確に再現したものを簡易に製作する場合などに、好適に利用することが可能である。
【図１】
2008142781.tif 000003
【図２】
2008142781.tif 000004
【図３】
2008142781.tif 000005
【図４】
2008142781.tif 000006
【国際調査報告】
2008142781.tif 000007
2008142781.tif 000008